(57)【要約】      （修正有）【課題】試料台上の小領域のみをスポット照射でき、影の発生もない、試料保持部に液体試料を配置するために照明光を適切に照射することができる分光光度計を提供する。【解決手段】分光光度計１は、液滴状の液体試料Ｓを保持する試料台１１を有する試料保持部１０と、液体試料に対して測定光を照射する光源部２０と、液体試料を透過した透過光が導入される光検出部３０とを備え、光源部は、測定光を出射する測定光源２２と、測定光源から出射された測定光を試料台上の微小領域に集束させる集光レンズ２３とを有する。さらに光源部２０は、照明光を出射する照明光源２５と、測定光源と集光レンズとの間にある照明位置と、間にない非照明位置とのいずれかの位置に照明光源を配置する移動機構２６とを有し、集光レンズ２３は、照明位置に配置された照明光源からの照明光を試料台上の小領域に集束させる。【選択図】図１ａ
0003196213.tif 000002
【実用新案登録請求の範囲】
【請求項１】
液滴状の液体試料を保持する試料台を有する試料保持部と、
前記試料台に保持された液体試料に対して測定光を照射する光源部と、
前記液体試料を透過した透過光が導入される光検出部とを備え、
前記光源部は、前記測定光を出射する測定光源と、当該測定光源から出射された測定光を前記試料台上の微小領域に集束させる集光レンズとを有する分光光度計であって、
前記光源部は、照明光を出射する照明光源と、前記測定光源と前記集光レンズとの間となる照明位置と、前記測定光源と前記集光レンズとの間でない非照明位置との内のいずれかの位置に当該照明光源を配置させる移動機構とを有し、
前記集光レンズは、前記照明位置に配置された照明光源からの照明光を前記試料台上の小領域に集束させることを特徴とする分光光度計。
【請求項２】
前記光源部は、前記測定光源と前記集光レンズと前記照明光源とが内部に配置された筐体を備え、
前記筐体は、上部筐体と下部筐体とを有し、当該下部筐体は当該上部筐体に対して上下方向に移動可能となっていることを特徴とする請求項１に記載の分光光度計。
【考案の詳細な説明】
【技術分野】
【０００１】
本考案は、液滴状の液体試料に対して測定光を照射する分光光度計に関し、特に試料保持部に液体試料を適切に配置するために照明光を照射することが可能な分光光度計に関する。
【背景技術】
【０００２】
μＬ（マイクロリットル）単位の微量な液体試料中に含まれる成分の濃度等を測定する装置として、分光光度計がある（例えば、特許文献１参照）。
図２は、従来の分光光度計の要部の構成を示す図であって、図２ａは分光光度計の測定状態を示す図であり、図２ｂは分光光度計の測定準備状態を示す図である。また、地面に水平な一方向をＸ方向とし、地面に水平でＸ方向と垂直な方向をＹ方向とし、Ｘ方向とＹ方向とに垂直な方向をＺ方向とする。
分光光度計１０１は、微量の液滴状の液体試料Ｓを保持するための試料保持部１０と、試料保持部１０に保持された液体試料Ｓに対して測定光を照射する光源部１２０と、液体試料Ｓを透過した透過光が導入される光検出部３０とを備える。
【０００３】
試料保持部１０は、測定光が透過する材料で形成された試料台１１を備え、試料台１１の上面に、液滴状の液体試料Ｓが保持されるようになっている。
光検出部３０は、試料台１１の下方（Ｚ方向）に配置された光ファイバ３１と、光ファイバ３１に導入された光を分光して、そのスペクトルを測定する検出器（図示せず）とを備える。
【０００４】
光源部１２０は、試料保持部１０の上方（−Ｚ方向）に配置され、黒色の板金製の筐体２１と、測定光源（例えばキセノンランプ）２２と、集光レンズ２３とを有する。筐体２１は、上部筐体２１ａと下部筐体２１ｂとを備え、下部筐体２１ｂは上部筐体２１ａに対して上下方向に移動可能となっている。これにより、下部筐体２１ｂと試料保持部１０との距離が小さく（例えば５ｍｍ）なる測定状態（図２ａ参照）と、距離が大きく（例えば４００ｍｍ）なる測定準備状態（図２ｂ参照）とのいずれかの状態となることが可能となっている。
【０００５】
上部筐体２１ａと下部筐体２１ｂとの内部には、測定光源２２と集光レンズ２３とが配置され、測定光源２２は、測定光（例えば２００ｎｍ〜７００ｎｍ）を下方（Ｚ方向）に出射するものであり、集光レンズ２３は、測定光源２２から出射された測定光を試料台１１の上面の上で微小径（例えば直径１ｍｍ）に集束させるように配置されている。
また、下部筐体２１ｂの下面には、測定光が透過する材料で形成された窓板２４が形成されている。
【０００６】
ここで、分光光度計１０１を用いた液体試料Ｓ中に含まれる成分の特定や濃度を求める測定方法について説明する。まず、分光光度計１０１を測定準備状態として、マイクロピペット等を用いて液滴状の液体試料Ｓを滴下し、試料台１１の上面に保持する（保持ステップ、図２ｂ参照）。次に、分光光度計１０１を測定状態とすることで、液体試料Ｓを試料台１１の上面と窓板２４とにより挟持する（挟持ステップ、図２ａ参照）。最後に、測定者は測定光源２２の電源を入れて、微小径に集束された測定光を液体試料Ｓに照射することで、液体試料Ｓを透過した透過光が、さらに試料台１１を透過して光ファイバ３１に導入される（測定ステップ）。
【０００７】
ところで、保持ステップでは分光光度計１０１は測定準備状態となっているが、試料保持部１０の上方に下部筐体２１ｂが存在し、試料台１１の上面に室内光（蛍光灯）が当たらず暗くなるため、試料台１１の上面の所定領域を照射する照明光源（例えばＬＥＤ）１４０が配置されている。これにより、測定者は、保持ステップで照明光源１４０の電源を入れて、照明光を試料台１１の上面の所定領域（例えば直径３０ｍｍ）に照射しながら、液体試料Ｓを滴下している。そして、測定ステップで照明光源１４０の電源を切っている。
【先行技術文献】
【特許文献】
【０００８】
【特許文献１】特開２００９−６３５２５号公報
【考案の概要】
【考案が解決しようとする課題】
【０００９】
しかしながら、上述したような分光光度計１０１では、照明光源１４０は、下部筐体２１ｂの移動の邪魔にならないように配置されていることから、試料台１１からの距離が遠くなり、照明光が広がって全体的にぼやけてしまうという問題点があった。
また、照明光源１４０は、下部筐体２１ｂが上下移動する際の邪魔にならないよう、試料台１１の左上方に配置されているので、照明位置と作業位置との関係から、測定域に影が生じて見づらくなる等の不快感を生じることがあった。
そこで、本考案は、試料保持部に液体試料を配置するために照明光を適切に照射することができる分光光度計を提供することを目的とする。
【課題を解決するための手段】
【００１０】
上記課題を解決するためになされた本考案の分光光度計は、液滴状の液体試料を保持する試料台を有する試料保持部と、前記試料台に保持された液体試料に対して測定光を照射する光源部と、前記液体試料を透過した透過光が導入される光検出部とを備え、前記光源部は、前記測定光を出射する測定光源と、当該測定光源から出射された測定光を前記試料台上の微小領域に集束させる集光レンズとを有する分光光度計であって、前記光源部は、照明光を出射する照明光源と、前記測定光源と前記集光レンズとの間となる照明位置と、前記測定光源と前記集光レンズとの間でない非照明位置との内のいずれかの位置に当該照明光源を配置させる移動機構とを有し、前記集光レンズは、前記照明位置に配置された照明光源からの照明光を前記試料台上の小領域に集束させることを特徴としている。
【００１１】
ここで、「測定光」としては、例えば、赤外光、紫外光、可視光等が挙げられる。また、干渉計やその他の変調手段によって時間的な強度変化を持たせることもできる。そして、「照明光」としては、例えば、可視光等が挙げられる。
本考案の分光光度計によれば、マイクロピペット等を用いて液体試料を試料台に滴下する測定準備状態では、照明光源を照明位置に配置する。そして、照明光源の電源を入れ、集光レンズを通して照明光を試料台上に照射する。このとき、集光レンズの焦点位置は、測定光源と集光レンズと試料台とにより決定されるため、測定光源と集光レンズとの間に照明光源を配置すると、焦点位置がずれ、試料台周辺を照らすことになる。よって、照明光が、試料台上の焦点位置（微小領域）を含む小領域に一様に照射される。
【考案の効果】
【００１２】
以上のように、本考案の分光光度計によれば、集光レンズで集光された照明光を照明として使用するため、試料台上の小領域のみをスポット照射でき、ピンポイントで見やすくなる。また、集光レンズの方向から照明光が試料台上に照射されるので、影等は気にしなくてよくなり、ユーザビリティも向上する。さらに、測定者が照明光源を直視することもなくなる。
【００１３】
（他の課題を解決するための手段及び効果）
また、本考案の分光光度計において、前記光源部は、前記測定光源と前記集光レンズと前記照明光源とが内部に配置された筐体を備え、前記筐体は、上部筐体と下部筐体とを有し、当該下部筐体は当該上部筐体に対して上下方向に移動可能となっているようにしてもよい。
【図面の簡単な説明】
【００１４】
【図１ａ】本考案の分光光度計における測定状態での要部構成を示す図。
【図１ｂ】本考案の分光光度計における測定準備状態での要部構成を示す図。
【図２ａ】従来の分光光度計における測定状態での要部構成を示す図。
【図２ｂ】従来の分光光度計における測定準備状態での要部構成を示す図。
【考案を実施するための形態】
【００１５】
以下、本考案の実施形態について図面を用いて説明する。なお、本考案は、以下に説明するような実施形態に限定されるものではなく、本考案の趣旨を逸脱しない範囲で種々の態様が含まれる。
【００１６】
図１は、本考案に係る分光光度計の要部の構成を示す図であって、図１ａは分光光度計の測定状態を示す図であり、図１ｂは分光光度計の測定準備状態を示す図である。なお、上述した分光光度計１０１と同様のものについては、同じ符号を付している。
分光光度計１は、微量の液滴状の液体試料Ｓを保持するための試料保持部１０と、試料保持部１０に保持された液体試料Ｓに対して測定光を照射する光源部２０と、液体試料Ｓを透過した透過光が導入される光検出部３０とを備える。
【００１７】
光源部２０は、試料保持部１０の上方（−Ｚ方向）に配置され、黒色の板金製の筐体２１と、測定光源（例えばキセノンランプ）２２と、集光レンズ２３と、照明光源（例えばＬＥＤ）２５と、照明光源２５を移動させる移動機構２６とを有する。また、筐体２１を構成する上部筐体２１と下部筐体２１ｂとの内部には、測定光源２２と集光レンズ２３と照明光源２５と移動機構２６とが配置されている。
【００１８】
照明光源２５は、移動機構２６によって、図１ｂのように測定光源２２と集光レンズ２３との間に位置する照明位置と、図１ａのように測定光源２２と集光レンズ２３との間でない非照明位置とに左右方向（Ｘ方向）に移動可能となっている。そして、照明光源２５は、照明位置に配置されたときには、照明光（例えば４５０ｎｍ〜６６０ｎｍ）を下方（Ｚ方向）に出射することで、集光レンズ２３が照明光源２５から出射された照明光を試料台１１の上面上で小径（例えば直径１０ｍｍ）に集束させるようになっている。
【００１９】
ここで、本考案の分光光度計１を用いた液体試料Ｓ中に含まれる成分の特定や濃度を求める測定方法について説明する。
（１）保持ステップ（図１ｂ参照）
まず、分光光度計１を測定準備状態とする。次に、移動機構２６を用いて照明光源２５を照明位置に移動させる。次に、測定者は、照明光源２５の電源を入れて、小径に集束された照明光を試料台１１の上面上に照射する。これにより、測定者は、試料台１１の上面が照射された状態で、マイクロピペット等を用いて液滴状の液体試料Ｓを滴下し、試料台１１の上面に保持する。次に、測定者は、照明光源２５の電源を切り、移動機構２６を用いて照明光源２５を非照明位置に移動させる。
【００２０】
（２）挟持ステップ（図１ａ参照）
次に、分光光度計１を測定状態とする。その結果、液体試料Ｓを試料台１１の上面と窓板２４とにより挟持する。
（３）測定ステップ
最後に、測定者は、測定光源２２の電源を入れて、微小径に集束された測定光を液体試料Ｓに照射することで、液体試料Ｓを透過した透過光が、さらに試料台１１を透過して光ファイバ３１に導入される。
【００２１】
以上のように、本考案の分光光度計１によれば、集光レンズ２３で集光された照明光を照明として使用するため、試料台１１上の小領域のみをスポット照射でき、ピンポイントで見やすくなる。また、上方から照明光が試料台１１上に照射されるので、影等の障害を気にしなくてよくなり、ユーザビリティも向上する。さらに、測定者が照明光源２５を直視することもなくなる。
【産業上の利用可能性】
【００２２】
本考案は、液滴状の液体試料に対して測定光を照射する分光光度計等に好適に利用できる。
【符号の説明】
【００２３】
１  分光光度計
１０  試料保持部
１１  試料台
２０  光源部
２２  測定光源
２３  集光レンズ
２５  照明光源
２６  移動機構
３０  光検出部
【図１ａ】
0003196213.tif 000003
【図１ｂ】
0003196213.tif 000004
【図２ａ】
0003196213.tif 000005
【図２ｂ】
0003196213.tif 000006